(57)【特許請求の範囲】
【請求項１】
テレフタル酸を含む二価酸成分；
全体ジオール成分に対して、１ないし６０モル％のイソソルバイドおよび１ないし９０モル％のエチレングリコールを含むジオール成分；および
全体樹脂重合反応物に対して、１ないし５０重量％の乳酸またはそれを由来とする化合物、が共重合されて、
前記二価酸成分を由来とする二価酸部分、前記ジオール成分を由来とするジオール部分、および前記乳酸またはそれを由来とする化合物を由来とするヒドロキシ一価酸部分、が繰り返される構造を有することを特徴とするポリエステル樹脂。
【請求項２】
前記全体樹脂重合反応物に対して、前記イソソルバイドと乳酸またはそれを由来とする化合物を含むバイオマス原料成分の含有量が、５ないし７０重量％であり、前記二価酸成分およびジオール成分を含む石油資源由来化合物の含有量が、３０ないし９５重量％であることを特徴とする請求項１に記載のポリエステル樹脂。
【請求項３】
前記乳酸またはそれを由来とする化合物が、Ｄ−乳酸、Ｌ−乳酸、Ｄ−ラクチドおよびＬ−ラクチドを含む群から選択されることを特徴とする請求項１に記載のポリエステル樹脂。
【請求項４】
前記二価酸成分が、全体二価酸成分に対して、８０ないし１００モル％のテレフタル酸、および、残りの成分として、炭素数８ないし１４の芳香族ジカルボン酸成分、炭素数４ないし１２の脂肪族ジカルボン酸成分を含む群から選択されたジカルボン酸成分を含むことを特徴とする請求項１に記載のポリエステル樹脂。
【請求項５】
前記イソソルバイドの含有量が、全体ジオール成分に対して、５ないし５０モル％であり、前記エチレングリコールの含有量が、５０ないし８０モル％であることを特徴とする請求項１に記載のポリエステル樹脂。
【請求項６】
前記ポリエステル樹脂の固有粘度が、０．５ｄＬ／ｇ以上であり、該固有粘度が、前記ポリエステル樹脂がオルトクロロフェノールに１．２ｇ／ｄＬの濃度に溶解されるとともに、３５℃で測定されたことを特徴とする請求項１に記載のポリエステル樹脂。
【請求項７】
テレフタル酸を含む二価酸成分；
全体ジオール成分に対して、１ないし６０モル％のイソソルバイドおよび１ないし９０モル％のエチレングリコールを含むジオール成分；および
全体樹脂重合反応物に対して、１ないし５０重量％の乳酸またはそれを由来とする化合物を、０．１ないし３．０ｋｇｆ／ｃｍ２の圧力および２００ないし３００℃の温度で１００分ないし１０時間の平均滞留時間の間、エステル化反応またはエステル交換反応させる段階；および
前記エステル化またはエステル交換反応生成物を、４００ないし０．１ｍｍＨｇの減圧条件および２４０ないし３００℃の温度で１ないし１０時間の平均滞留時間の間、重縮合反応させる段階、を含むことを特徴とするポリエステル樹脂の製造方法。
【発明の詳細な説明】
【技術分野】
【０００１】
本発明は、ポリエステル樹脂およびその製造方法に関し、より詳しくは、乳酸またはそれを由来とする化合物とイソソルバイドの共重合により、バイオマスを由来とする化合物の含有量が高いだけでなく、耐熱性および色相に優れたポリエステル樹脂およびその製造方法に関する。
【背景技術】
【０００２】
ポリエステル、ポリカーボネート、ポリスチレン、ポリエチレン、ポリプロピレン、スチレンアクリル共重合体など一般的に使用される樹脂は、石油などの化石資源から得られる。最近、化石資源の枯渇、石油資源の大量消費による大気中の二酸化炭素の増加、それに伴い地球温暖化問題などに対応するために、化石資源の使用量を減少させようとする努力がなされている。例えば、大気中に二酸化炭素を排出しながら成長する植物を由来とする樹脂を用いると、二酸化炭素が環境中で循環するので、温暖化問題、石油資源枯渇問題などの解消に役に立つことになる。
【０００３】
このような環境循環型樹脂（高分子）において、バイオマス（Ｂｉｏ  ｍａｓｓ）原料含有量（生物体総量）を増加させることが望ましい。バイオマスとは、太陽エネルギーを受ける植物、微生物、菌体、動物体などの生物有機体を意味する。バイオマス原料は、穀物、ジャガイモ類などのでんぷん系資源、草本、林木、稲わら、籾殻などのセルロース系資源、サトウキビ、サトウダイコンなどの糖質系資源などの植物を由来とする環境循環型資源と家畜糞尿、死体、微生物菌体などの動物を由来とする環境循環型資源のみならず、これらの資源を由来とする紙や生ごみなどの各種有機性廃棄物を含む。バイオマス原料は、再生可能であり、化石燃料とは異なり枯渇せず、燃焼を通して大気中に放出される二酸化炭素も自然状態で循環するので、環境親和的である。このようなバイオマス原料は、生物学的または化学的技術との結合によって、エネルギー源や各種合成素材の材料として活用することができ、従来の石油化学製品の代替として使用することもできる。
【０００４】
ポリエステル樹脂は、包装材、成形品、フィルムなどの分野で広範囲に使用されており、環境ホルモンが存在しない親環境プラスチックの一つである。最近、耐熱食品容器として主に使用されてきたポリカーボネートにおいて、ビスフェノールＡの有害性が明らかになってきた。そして、親環境透明耐熱ポリエステル樹脂の必要性が増大している。テレフタル酸とエチレングリコールから構成されたホモポリエステルの場合、その物性および耐熱性は、延伸結晶化と熱固定を通してある程度向上させることはできる。しかし、適用用途および耐熱性向上には、限界がある。従って、ポリエステル樹脂の成形性を向上させ結晶性を除去するために、二つ以上のグリコールまたはジカルボン酸成分が共重合されたポリエステル樹脂が、商業的に幅広く利用されている。しかし、このような共重合ポリエステルの場合、延伸や結晶化工程によって耐熱性を向上させることが難しい。
【０００５】
従って、最近、でんぷんを由来とするバイオマス由来の化合物であり、下記化学式１で表示されるイソソルバイド（Ｉｓｏｓｏｒｂｉｄｅ）をポリエステル樹脂の共単量体として使用して、ポリエステル樹脂の耐熱性を向上させる方法が開発された。
【０００６】
【化１】
0005848435.tif 000002
≪化学式１≫
【０００７】
イソソルバイドは、二次アルコールとして反応性が低く、それゆえシートや瓶の製造に使用される高粘度のポリエステルを形成することが難しいことが知られている。しかし、例えば特許文献１には、テレフタル酸とイソソルバイドを含む多様なジオールを用いた溶融重合によって、０．３５ｄＬ／ｇ以上の固有粘度を有するポリエステルを製造する方法が開示されている。０．３５ｄＬ／ｇ以上の固有粘度を有するポリエステル樹脂は、光学製品とコーティング用に使われ、０．４ｄＬ／ｇ以上の固有粘度を有するポリエステル樹脂は、ＣＤ用に用いられ、０．５ｄＬ／ｇ以上の固有粘度を有するポリエステル樹脂は、瓶、フィルム、シート、および射出成型用に用いられる。また、例えば特許文献２には、イソソルバイドを含むグリコール成分を用いた溶融重合によって、０．１５ｄＬ／ｇ以上の固有粘度を有するポリエステルを製造する方法が開示されている。前記特許には、ポリエステルは、イソソルバイドを用いたポリエステル重合のための通常の原料、方法および触媒によって製造されるが、バイオマスを由来とする化合物の総含有量は、低いままである。
【先行技術文献】
【特許文献】
【０００８】
【特許文献１】米国特許５，９５９，０６６号公報
【特許文献２】米国特許６，０６３，４６４号公報
【発明の概要】
【発明が解決しようとする課題】
【０００９】
従って、本発明の目的は、植物を由来とする環境循環型重合原料であるイソソルバイドと乳酸またはそれを由来とする化合物を使用して、バイオマス原料含有量が高い環境親和的なポリエステル樹脂およびその製造方法を提供することにある。
【００１０】
また、本発明の目的は、耐熱性および色相に優れたポリエステル樹脂およびその製造方法を提供することにある。
【課題を解決するための手段】
【００１１】
前記目的を達成するために、本発明は、
テレフタル酸を含む二価酸成分；
全体ジオール成分に対して、１ないし６０モル％のイソソルバイドおよび１ないし９０モル％のエチレングリコールを含むジオール成分；および
全体樹脂重合反応物に対して、１ないし５０重量％の乳酸またはそれを由来とする化合物、が共重合されて、
前記二価酸成分を由来とする二価酸部分、前記ジオール成分を由来とするジオール部分および前記乳酸またはそれを由来とする化合物を由来とするヒドロキシ一価酸部分が繰り返される構造を有するポリエステル樹脂を提供する。
【００１２】
また、本発明は、
テレフタル酸を含む二価酸成分；
全体ジオール成分に対して、１ないし６０モル％のイソソルバイドおよび１ないし９０モル％のエチレングリコールを含むジオール成分；および
全体樹脂重合反応物に対して、１ないし５０重量％の乳酸またはそれを由来とする化合物を、０．１ないし３．０ｋｇｆ／ｃｍ２の圧力および２００ないし３００℃の温度で１００分ないし１０時間の平均滞留時間の間、エステル化反応またはエステル交換反応させる段階；および
前記エステル化またはエステル交換反応生成物を、４００ないし０．１ｍｍＨｇの減圧条件および２４０ないし３００℃の温度で１ないし１０時間の平均滞留時間の間、重縮合反応させる段階、を含むポリエステル樹脂の製造方法を提供する。
【発明の効果】
【００１３】
本発明によるポリエステル樹脂は、バイオマスを由来とする化合物であるイソソルバイドと乳酸またはそれを由来とする化合物を同時に使用して製造するため、環境親和的であり、耐熱性および色相に優れるという長所がある。
【発明を実施するための形態】
【００１４】
本発明のより完全な認識およびその付随する利点の多くは、以下の詳細な説明を参照することによって理解されるであろう。
【００１５】
本発明によるポリエステル樹脂は、二価酸成分（Ｄｉａｃｉｄ  ｃｏｍｐｏｎｅｎｔ）、ジオール成分（Ｄｉｏｌ  ｃｏｍｐｏｎｅｎｔ）および乳酸またはそれを由来とする化合物が共重合されて、前記二価酸成分を由来とする二価酸部分（Ｄｉａｃｉｄ  ｍｏｉｅｔｙ）、前記ジオール成分を由来とするジオール部分（Ｄｉｏｌ  ｍｏｉｅｔｙ）および前記乳酸またはそれを由来とする化合物を由来とするヒドロキシ一価酸部分（Ｈｙｄｒｏｘｙ−ｍｏｎｏａｃｉｄ  ｍｏｉｅｔｙ）が繰り返される構造を有する。
【００１６】
本発明による共重合ポリエステル樹脂の製造に使用される二価酸成分は、
（ｉ）主成分としてテレフタル酸を含み、必要に応じて
（ii）ポリエステル樹脂の物性改善のための共重合モノマーとして、炭素数８ないし１４の芳香族ジカルボン酸成分、炭素数４ないし１２の脂肪族ジカルボン酸成分を含む群から選択されたジカルボン酸成分を含む。前記炭素数８ないし１４の芳香族ジカルボン酸成分は、テレフタル酸成分を除くイソフタル酸、２、６−ナフタレンジカルボン酸などのナフタレンジカルボン酸、およびジフェニルジカルボン酸などポリエステル樹脂の製造に通常使用される芳香族ジカルボン酸成分を含み、前記炭素数４ないし１２の脂肪族ジカルボン酸成分は、１，４−シクロヘキサンジカルボン酸、１，３−シクロヘキサンジカルボン酸などのシクロヘキサンジカルボン酸、フタル酸、セバシン酸、琥珀酸、イソデシル琥珀酸、マレイン酸、マル酸、アジピン酸、グルタル酸、アゼライン酸などポリエステル樹脂の製造に通常使用される線状、分枝状または環状の脂肪族ジカルボン酸成分を含む。前記ジカルボン酸成分は、単独または二つ以上配合された形態に用いることができる。全体二価酸成分に対して、前記テレフタル酸成分の含有量は、８０ないし１００モル％、好ましくは９０ないし１００モル％、さらに好ましくは９５ないし１００モル％であり、残りの成分は、テレフタル酸を除く他の芳香族または脂肪族ジカルボン酸成分である。ここで、前記テレフタル酸成分の含有量が少なすぎると、十分な耐熱性を有さないので成形用途に適用しにくくなるおそれがある。本明細書で用いられる「テレフタル酸またはテレフタル酸成分」との用語は、テレフタル酸、そのアルキルエステル（モノメチル、モノエチル、ジメチル、ジエチルまたはジブチルエステルなどの炭素数１ないし４の低級アルキルエステル）および／またはこれらの酸無水物（Ａｃｉｄ  ａｎｈｙｄｒｉｄｅ）などのエステル形成性誘導体成分を含む意味で使用され、グリコール成分と反応して、テレフタロイル部分（Ｔｅｒｅｐｈｔｈａｌｏｙｌ  ｍｏｉｅｔｙ）を形成する。また、本明細書で用いられる二価酸部分（Ｄｉａｃｉｄ  ｍｏｉｅｔｙ）、ジオール部分（Ｄｉｏｌ  ｍｏｉｅｔｙ）およびヒドロキシ一価酸部分（Ｈｙｄｒｏｘｙｌ  ｍｏｎｏａｃｉｄ  ｍｏｉｅｔｙ）は、二価酸成分、ジオール成分およびヒドロキシ一価酸成分が通常の縮合（Ｃｏｎｄｅｎｓａｔｉｏｎ）反応によってポリエステルで重合されるとき、水素、ヒドロキシ基またはアルコキシ基が除去され、残った残基（Ｒｅｓｉｄｕｅ）をいう。従って、本発明によるポリエステル樹脂は、二価酸部分およびジオール部分が交互に繰り返される（Ａｌｔｅｒｎａｔｉｎｇｌｙ  ｒｅｐｅａｔｉｎｇ）通常のポリエステル構造に、ヒドロキシ一価酸部分が挿入された構造を有する。
【００１７】
本発明に使用されるジオール成分は、全体ジオール成分に対して、
（ｉ）１ないし６０モル％、好ましくは５ないし５０モル％、さらに好ましくは１０ないし４０モル％、最も好ましくは１０ないし３０モル％のイソソルバイド（ジアンヒドロヘキシトール）、
（ii）１ないし９０モル％、好ましくは１０ないし８５モル％、さらに好ましくは５０ないし８０モル％、最も好ましくは７０ないし８０モル％のエチレングリコールおよび、必要に応じて、
（iii）ポリエステル樹脂の物性改善のための共重合モノマーとして、ジエチレングリコール、トリエチレングリコール、プロパンジオール（１，２−プロパンジオール、１，３−プロパンジオールなど）、１，４−ブタンジオール、ペンタンジオール、ヘキサンジオール（１，６−ヘキサンジオールなど）、ネオペンチルグリコール（２，２−ジメチル−１，３−プロパンジオール）、１，２−シクロヘキサンジオール、１，４−シクロヘキサンジオール、１，２−シクロヘキサンジメタノール、１，３−シクロヘキサンジメタノール、１，４−シクロヘキサンジメタノール、テトラメチルシクロブタンジオール、およびこれらの混合物などを含む群から選択された、０ないし２０モル％、好ましくは１ないし１０モル％のグリコールを含む。
【００１８】
本発明に使用される乳酸またはそれを由来とする化合物は、酸およびアルコールの特性をいずれも有する化合物であって、Ｄ−乳酸、Ｌ−乳酸、乳酸から生成されるＤまたはＬ−ラクチド（Ｌａｃｔｉｄｅ）などを含む。乳酸またはそれを由来とする化合物の含有量は、全体樹脂重合反応物に対して１ないし５０重量％、好ましくは１０ないし４０重量％、さらに好ましくは２０ないし３０重量％である。乳酸またはそれを由来とする化合物は、樹脂の耐熱性および色相（Ｃｏｌｏｒ）に影響を与えない限り多量を使うのが望ましい。しかし、その使用量が多すぎると、ポリエステル樹脂の耐熱性が低下するおそれがある。本発明によるポリエステル樹脂において、全体ポリエステル樹脂重合原料に対して、イソソルバイドと乳酸またはそれを由来とする化合物を含むバイオマス原料成分の含有量は、好ましくは５ないし７０重量％、さらに好ましくは２０ないし６０重量％、最も好ましくは３０ないし５０重量％であり、二価酸成分およびジオール成分を含む石油資源に由来する化合物の含有量は、３０ないし９５重量％、好ましくは４０ないし８０重量％である。バイオマス原料成分の含有量が５重量％未満であれば、バイオマス原料を使用する意味がないし、含有量が７０重量％を超えれば、製造されたポリエステル樹脂の耐熱性および色相（Ｃｏｌｏｒ）が不良になるおそれがある。
【００１９】
次に、本発明によるポリエステル樹脂の製造方法について説明する。まず、
（ａ）（ｉ）テレフタル酸および必要に応じて、芳香族または脂肪族のジカルボン酸成分を含む二価酸成分、（ii）１ないし６０モル％のイソソルバイド、１ないし９０モル％のエチレングリコールおよび必要に応じて、他のグリコール成分を含むジオール成分、および（iii）全体樹脂重合反応物に対して、１ないし５０重量％の乳酸またはそれを由来とする化合物、を含む重合反応物を、０．１ないし３．０ｋｇｆ／ｃｍ２の圧力（例えば、加圧圧力）および２００ないし３００℃の温度で１００分ないし１０時間の平均滞留時間の間、エステル化反応またはエステル交換反応させる。次に、
（ｂ）エステル化またはエステル交換反応生成物を、４００ないし０．１ｍｍＨｇの減圧条件および２４０ないし３００℃の温度で、１ないし１０時間の平均滞留時間の間、重縮合反応させて本発明によるポリエステル樹脂を製造する。好ましくは、重縮合反応の最終の到達真空度は、２．０ｍｍＨｇ未満であり、エステル化反応および重縮合反応は、不活性気体雰囲気下で行われる。
【００２０】
本発明によるポリエステル樹脂の製造方法について、さらに詳細に説明する。テレフタル酸などの二価酸成分、イソソルバイドなどのジオール成分および乳酸などを利用して共重合ポリエステルを製造するにあたって、二価酸成分に対するジオール成分のモル比が１．０５ないし３．０に調整され、二価酸成分とジオール成分が投入され、全体樹脂重合反応物に対して、１ないし５０重量％の乳酸またはそれを由来とする化合物が追加的に投入された後、２００ないし３００℃、好ましくは２４０ないし２６０℃、さらに好ましくは２４５ないし２５５℃の温度および０．１ないし３．０ｋｇｆ／ｃｍ２、好ましくは０．２ないし２．０ｋｇｆ／ｃｍ２の加圧圧力条件でエステル化反応が実施される。ここで、前記ジオール成分／二価酸成分のモル比率が１．０５未満であれば、重合反応後に未反応の酸成分が残留して樹脂の透明性が低下するおそれがあり、モル比率が３．０を超えれば、重合反応速度が低下して樹脂の生産性が不十分となるおそれがある。エステル化反応時間（平均滞留時間）は、通常１００分ないし１０時間、好ましくは２時間ないし５００分程度であり、反応温度、反応圧力、そしてジオール成分に対する二価酸成分のモル比により変更される。ポリエステル樹脂の製造過程は、エステル化反応（第１段階）と重縮合反応（第２段階）に区分することができる。エステル化反応は、触媒を必要としないが、反応時間の短縮のために触媒を使用することもできる。エステル化反応（第１段階）は、バッチ（Ｂａｔｃｈ）式または連続式で行うことができる。それぞれの反応物は、別々に反応器に投入できるが、グリコール成分とジカルボン酸成分を含むスラリーを反応器に投入するのが好ましい。
【００２１】
エステル化反応後には、重縮合反応が実施される。重縮合反応開始前には、重縮合触媒、安定剤、呈色剤および他の添加剤をエステル化反応の生成物に添加することができる。重縮合触媒の例としては、通常のチタン系触媒、ゲルマニウム系触媒、アンチモン系触媒、アルミニウム系触媒、スズ系触媒およびこれらの混合物が含まれる。こうした触媒の内、ゲルマニウム系触媒を用いて作製されたポリエステル樹脂の色相（Ｃｏｌｏｒ）は、アンチモン系およびチタン系触媒を用いたものよりも優れている。重縮合反応のための安定剤としては、一般に種々のリン系安定剤、例えばリン酸、トリメチルホスフェート、トリエチルホスフェートなどを用いることができる。安定剤は、安定剤のリンの添加量が、最終ポリエステル樹脂の総重量に対して、１０ないし１００ｐｐｍとなるように、投入されることが好ましい。安定剤のリンの添加量が１０ｐｐｍ未満であれば、安定化効果が不十分なためポリマー（ポリエステル樹脂）の色相が黄色く変わるおそれがある。リンの量が１００ｐｐｍを超えれば、ポリマーの重合度が不十分となるおそれがある。呈色剤が、ポリマーの色相を向上させるために添加される。呈色剤の例としては、例えばコバルトアセテートやコバルトプロピオン酸塩といった通常の呈色剤が含まれる。必要に応じて、有機系呈色剤が呈色剤として用いることができる。呈色剤の好ましい添加量は、最終のポリエステル樹脂の重量に対して、０ないし１００ｐｐｍである。一般に、重縮合反応は、２４０ないし３００℃、好ましくは２５０ないし２９０℃、さらに好ましくは２６０ないし２８０℃で、および４００ないし０．１ｍｍＨｇの減圧条件で行われる。４００ないし０．１ｍｍＨｇの減圧条件は、重縮合反応の副産物または過剰のグリコールを除去するために維持される。重縮合反応は、ポリエステル樹脂の所望の固有粘度が得られるまで行われ、例えば、平均滞留時間１ないし１０時間実施することができる。本発明によるポリエステルの重合において、必要に応じて、二価酸成分、ジオール成分および乳酸またはそれを由来とする化合物に加え、少量（例えば、反応物全量の０．１ないし１０モル％）の三価酸および／または三価アルコール成分をさらに追加することができる。本発明のポリエステル樹脂が、オルトクロロフェノール（ＯＣＰ）に１．２ｇ／ｄＬの濃度に溶解された場合には、該ポリエステル樹脂は、温度３５℃で、０．５ｄＬ／ｇ以上、好ましくは０．６ｄＬ／ｇ以上、さらに好ましくは０．７ｄＬ／ｇの固有粘度を有する。本発明のポリエステル樹脂は、耐熱性および色相が優れているので、該ポリエステル樹脂は、フィルム、シート、飲料水ビン、哺乳ビン、ファイバー、光学用製品などから選択されたポリエステル樹脂体の製造に適している。
【実施例】
【００２２】
以下、本発明をより理解するために、好適な実施例を示す。ただし、本発明は、これら実施例によって限定されるものではない。下記の実施例および比較例において、特に言及しない限り、単位‘部’または‘％’は‘重量部（重量による部）’または‘重量％（重量による％）’を意味し、ＴＰＡはテレフタル酸（ｔｅｒｅｐｈｔｈａｌｉｃ  ａｃｉｄ）を示し、ＩＰＡはイソフタル酸（ｉｓｏｐｈｔｈａｌｉｃ  ａｃｉｄ）を示し、ＩＳＢはイソソルバイド（ｉｓｏｓｏｒｂｉｄｅ、１、４：３、６−ｄｉａｎｈｙｄｒｏｇｌｕｃｉｔｏｌ）を示し、ＥＧはエチレングリコール（ｅｔｈｙｌｅｎｅ  ｇｌｙｃｏｌ）を示し、１、３−ＰＤＯは１、３−プロピレングリコール（１、３−ｐｒｏｐｙｌｅｎｅ  ｇｌｙｃｏｌ）を意味し、ＬａｃｔｉｄｅはＬ−ラクチドを示す。ポリマーの性能評価方法は、次の通りである。
（１）固有粘度（ＩＶ）：ポリマーが、１５０℃のオルトクロロフェノール中に０．１２％濃度に溶解された後、ポリマーのＩＶが、３５℃の恒温槽で、ウベローデ型粘度計を使用して測定された。
（２）耐熱性（ガラス転移温度（Ｇｌａｓｓ−ｒｕｂｂｅｒ  ｔｒａｎｓｉｔｉｏｎ  ｔｅｍｐｅｒａｔｕｒｅ：Ｔｇ））：ポリエステル樹脂のＴｇが、１０℃／ｍｉｎの昇温速度で、第２スキャン（Ｓｃａｎ）時に測定された。
（３）色相（Ｃｏｌｏｒ）：ポリエステル樹脂の色相が、Ｐａｃｉｆｉｃ  Ｓｃｉｅｎｔｉｆｉｃ社製のＣｏｌｏｒｇａｒｄ  Ｓｙｓｔｅｍを使用して測定された。
（４）Ｂｉｏ  ｃｏｎｔｅｎｔ（％）：樹脂内の各バイオマス重合原料成分の含有量が、６００ＭＨｚ核磁気共鳴（ＮＭＲ）スペクトロメーターを使用して測定された。
【００２３】
［比較例１〜５］ポリエステル樹脂の製造
表１に示す含有量により、反応物が７Ｌ容積の反応器に投入され、ゲルマニウム系触媒２００ｐｐｍ、ホスフェート系安定剤７０ｐｐｍ、コバルト系呈色剤５０ｐｐｍが投入された後、２４０ないし３００℃の熱が加えられ、エステル化反応を進行させた。副産物である水が系外に７０ないし９９％流出した時に重縮合反応が開始され、目標粘度に到達して終了した。触媒、安定剤および呈色剤が、それぞれ触媒、安定剤および呈色剤のうちの中心元素の原子基準に、総原料（反応物）投入量に比べて、それぞれｐｐｍ単位で投入された。製造されたポリエステル樹脂のＢｉｏ  ｃｏｎｔｅｎｔ（％）、固有粘度、耐熱性（Ｔｇ）、ｃｏｌｏｒ  Ｌ、ｃｏｌｏｒ  ｂが測定され、表１に示された。
【００２４】
［実施例１〜６］ポリエステル樹脂の製造
表１による反応物の上記含有量を用いずに、比較例と同様な方法でポリエステル樹脂を製造し、製造されたポリエステル樹脂のＢｉｏ  ｃｏｎｔｅｎｔｓ（％）、固有粘度、耐熱性（Ｔｇ）、ｃｏｌｏｒ  Ｌ、ｃｏｌｏｒ  ｂが測定され、表１に示された。
【００２５】
【表１】
0005848435.tif 000003
【００２６】
表１において、二価酸成分およびジオール成分の含有量は、いずれもポリエステル合成に使用された投入量である。表１に示すように、従来のポリエステル樹脂と比較して、乳酸またはそれを由来とする化合物を含む本発明のポリエステル樹脂は、高いＢｉｏ  ｃｏｎｔｅｎｔｓを有し、同等以上の耐熱性を有する。具体的に、比較例１ないし３のポリエステル樹脂は、イソソルバイドを用いて作製された高耐熱性ポリエステル樹脂であって、ＴｇおよびＢｉｏ  ｃｏｎｔｅｎｔが高く、Ｃｏｌｏｒ  Ｌ、Ｃｏｌｏｒ  ｂが既存ポリエステル樹脂よりも少し低く、ＩＶは既存ポリエステル樹脂と類似する。しかし、バイオ系原料としてのイソソルバイドの投入量が、高いＢｉｏ  ｃｏｎｔｅｎｔｓのために増加されたので、生成されたポリエステルのＴｇが高いが、色相（Ｃｏｌｏｒ）が低下する傾向がある。必要以上にＴｇが高ければ、高温での溶融粘度が増加して、高い分子量のポリエステルを合成することが困難となり、反応性が低下して色相も悪くなる。比較例４および５のポリエステル樹脂は、バイオ系原料である１、３−ＰＤＯを使って作製され、比較例１と類似したＩＶとＴｇを有し、相対的にＢｉｏ  ｃｏｎｔｅｎｔｓも高い。しかし、１、３−ＰＤＯは、Ｔｇを低くする効果が大きいので、投入すべきイソソルバイドの量が増加する。イソソルバイド含有量が増加すれば、作製されたポリエステルの色相（Ｃｏｌｏｒ）が悪くなり、１、３−ＰＤＯも、製造されたポリマーの色彩強度を増加させるという短所を有する。実施例１ないし６においては、ラクチドが、比較例と同一の原料により多く投入され、実施例のポリエステル樹脂は、相対的に高いＢｉｏ  ｃｏｎｔｅｎｔｓと類似したＴｇとＩＶでの優れた色相を有する。
【産業上の利用可能性】
【００２７】
本発明によるポリエステル樹脂は耐熱性および色相が優れているので、成形して、フィルム、シート、飲料水ビン、哺乳ビン、繊維、光学用製品などに有用に用いることができる。